(57)【要約】【課題】本発明は、投票用紙を捻りながら搬送する際に搬送方向に直交する方向の投票用紙の端部が第１及び第２搬送ベルト周辺の他の部材に接触することを回避できる投票用紙反転装置を提供することを目的とするものである。【解決手段】投票用紙１の搬送方向１０を軸として接触面２４が捩られるように設けられた第１及び第２搬送ベルト２２，２３を含み、接触面２４の間を通る投票用紙１を捻りながら搬送することにより、投票用紙１の向きを反転させる反転機構２と、投票用紙１の搬送方向１０に直交する方向に沿う投票用紙１の長さに応じて、その直交する方向に沿って反転機構２をシフトさせるシフト機構３とを備える。【選択図】図１
2014091593.tif 000002
【特許請求の範囲】
【請求項１】
投票用紙の搬送方向を軸として接触面が捩られるように設けられた第１及び第２搬送ベルトを含み、前記接触面の間を通る前記投票用紙を捻りながら搬送することにより、前記投票用紙の向きを反転させる反転機構と、
前記投票用紙の搬送方向に直交する方向に沿う前記投票用紙の長さに応じて、前記直交する方向に沿って前記反転機構をシフトさせるシフト機構と
を備えていることを特徴とする投票用紙反転装置。
【請求項２】
前記シフト機構は、前記投票用紙の搬送方向に直交する方向に沿う前記投票用紙の中央位置に前記第１及び第２搬送ベルトの捩り軸を一致させるように、前記反転機構をシフトさせることを特徴とする請求項１記載の投票用紙反転装置。
【請求項３】
前記シフト機構は、アクチュエータにより駆動される偏心カム、及び前記偏心カムと前記反転機構とを連結する連結部材を含んでおり、前記偏心カムの回動により前記反転機構をシフトさせることを特徴とする請求項１又は請求項２に記載の投票用紙反転装置。
【発明の詳細な説明】
【技術分野】
【０００１】
本発明は、投票用紙の向きを反転させる投票用紙反転装置に関するものである。
【背景技術】
【０００２】
従来の投票用紙反転装置としては、例えば下記の特許文献１等に示されている構成を挙げることができる。すなわち、従来装置では、投票用紙の搬送方向を軸として接触面が捩られた第１及び第２搬送ベルトを用いて、接触面の間を通る投票用紙を捻りながら搬送することにより投票用紙の向きを反転させている。
【先行技術文献】
【特許文献】
【０００３】
【特許文献１】特開２０１１−１５４４３８号公報
【発明の概要】
【発明が解決しようとする課題】
【０００４】
一般に投票用紙の規格は１つだけではなく、投票用紙反転装置は様々な大きさの投票用紙の向きを反転させる必要がある。従来装置では、第１及び第２搬送ベルトを用いて投票用紙を捻りながら搬送することにより投票用紙の向きを反転させているので、投票用紙の大きさによっては、投票用紙を捻りながら搬送する際に、搬送方向に直交する方向の投票用紙の端部が第１及び第２搬送ベルト周辺の他の部材に接触する可能性がある。
【０００５】
本発明は、上記のような課題を解決するためになされたものであり、その目的は、投票用紙を捻りながら搬送する際に搬送方向に直交する方向の投票用紙の端部が第１及び第２搬送ベルト周辺の他の部材に接触することを回避できる投票用紙反転装置を提供することである。
【課題を解決するための手段】
【０００６】
本発明に係る投票用紙反転装置は、投票用紙の搬送方向を軸として接触面が捩られるように設けられた第１及び第２搬送ベルトを含み、接触面の間を通る投票用紙を捻りながら搬送することにより、投票用紙の向きを反転させる反転機構と、投票用紙の搬送方向に直交する方向に沿う投票用紙の長さに応じて、直交する方向に沿って反転機構をシフトさせるシフト機構とを備える。
【発明の効果】
【０００７】
本発明の投票用紙反転装置によれば、投票用紙の搬送方向に直交する方向に沿う投票用紙の長さに応じてシフト機構が反転機構をシフトさせるので、投票用紙を捻りながら搬送する際に搬送方向に直交する方向の投票用紙の端部と第１及び第２搬送ベルト周辺の他の部材との距離を適宜変更でき、投票用紙の端部が第１及び第２搬送ベルト周辺の他の部材に接触することを回避できる。
【図面の簡単な説明】
【０００８】
【図１】本発明の実施の形態１による投票用紙反転装置を示す正面図である。
【図２】図１の投票用紙反転装置を示す平面図である。
【図３】図２の偏心カムが１８０°回動された状態を示す説明図である。
【発明を実施するための形態】
【０００９】
以下、本発明を実施するための形態について、図面を参照して説明する。
実施の形態１．
図１は本発明の実施の形態１による投票用紙反転装置を示す正面図であり、図２は図１の投票用紙反転装置を示す平面図である。本実施の形態の投票用紙反転装置は、投票用紙１の向きを反転するものであり、記載内容毎に投票用紙１を分類する投票用紙読取分類装置に組み込まれるか、又はその投票用紙読取分類装置とともに用いられるものである。投票用紙１は、長辺１ａと短辺１ｂとを有する長方形状のものであり、短辺１ｂが搬送方向１０に沿うように搬送される。なお、図１の上部に示す投票用紙１において破線にて記入枠を示しているのは、投票用紙１の裏面に記入枠が位置していることを示している。
【００１０】
投票用紙反転装置には、反転機構２、シフト機構３、及び固定枠４が設けられている。反転機構２は、投票用紙１の搬送方向１０に沿う上流側及び下流側に配置された第１及び第２ローラ２０，２１に巻き掛けられた無端状の第１及び第２搬送ベルト２２，２３を含んでいる。第１及び第２搬送ベルト２２，２３は、投票用紙１の搬送方向１０を軸として第１及び第２搬送ベルト２２，２３間の接触面２４が捩られるように設けられている。第１及び第２搬送ベルト２２，２３の接触面２４の間を通されることで投票用紙１が捻りながら搬送されることにより、投票用紙１の向きが反転される。なお、投票用紙１は、投票用紙１の大きさに拘わらず、投票用紙１の一端と固定枠４との間のギャップ１１が一定となるように反転機構２に導入される。
【００１１】
第１ローラ２０の第１ローラ軸２５及び第２ローラ２１の第２ローラ軸２６は、固定枠４に軸支されている。これら第１及び第２ローラ軸２５，２６の一端には、後述の第２可動枠３５の内側に配置された複数の膨径部２５ａ，２６ａが設けられている。
【００１２】
シフト機構３には、アクチュエータ３０、伝達ベルト３１、プーリ３２、一対の偏心カム３３、第１可動枠３４、第２可動枠３５、複数のガイド軸３６、及び情報処理手段３７が設けられている。アクチュエータ３０は、例えばサーボモータ等により構成されるものであり、駆動軸３０ａを有している。伝達ベルト３１は、アクチュエータ３０の駆動軸３０ａとプーリ３２とに巻き掛けられた無端状のベルトであり、アクチュエータ３０の駆動力をプーリ３２に伝達する。
【００１３】
プーリ３２及び偏心カム３３は、軸体３２ａを介して一体に設けられている（図２参照）。本実施の形態では、偏心カム３３は略真円状の円盤であり、軸体３２ａは偏心カム３３の中心からずれた位置に設けられている。なお、偏心カム３３の外形は任意である。
【００１４】
第１可動枠３４は、枠本体３４ａと、一対の舌片３４ｂとを有している。枠本体３４ａは、軸体３２ａを軸支するとともに、プーリ３２及び偏心カム３３を内側に格納する枠体である。偏心カム３３の径方向に沿う枠本体３４ａの幅は、偏心カム３３の直径と等しくされている。舌片３４ｂは、枠本体３４ａから延出された板部であり、枠本体３４ａと第２可動枠３５とを連結している。
【００１５】
第２可動枠３５は、固定枠４の内側で変位可能に設けられた枠体である。上述したように、第２可動枠３５は舌片３４ｂにより第１可動枠３４と連結されている。また、第２可動枠３５の内側には、第１及び第２ローラ軸２５，２６の膨径部２５ａ，２６ａが配置されている。
【００１６】
ガイド軸３６は、固定枠４に固定された軸体であり、第２可動枠３５に形成された開口に挿入されている。ガイド軸３６の外周にはガイド軸３６に沿って進退可能なカーラ３６ａが取付けられている。カーラ３６ａは、第２可動枠３５の内側に配置されている。
【００１７】
情報処理手段３７は、プログラム等の情報を記憶する記憶部と、この記憶部の情報に基づいて処理動作を行う演算部とを含むコンピュータから構成されているものであり、アクチュエータ３０の動作制御を行う。情報処理手段３７は、搬送方向１０に直交する方向に沿う投票用紙１の長さ（長辺１ａの長さ）を認識する。この投票用紙１の長さは、利用者の操作により情報処理手段３７に入力されるか、又は図示しない撮像手段により撮影された投票用紙１の画像に基づいて情報処理手段３７が求める。
【００１８】
次に、投票用紙反転装置の動作について説明する。図３は、図２の偏心カム３３が１８０°回動された状態を示す説明図である。なお、図３において実線にて示す投票用紙１の搬送方向１０に直交する方向に沿う長さは、図２に示す投票用紙１よりも短くなっている。
【００１９】
情報処理手段３７は、搬送方向１０に直交する方向に沿う投票用紙１の長さに応じてアクチュエータ３０の動作を制御する。アクチュエータ３０の駆動力により偏心カム３３が図２の状態から１８０°回動されると、偏心カム３３の外面に押されることで第１可動枠３４が図中左側にシフトされる。このとき、第１可動枠３４の舌片３４ｂが第２可動枠３５に連結されているので、第１可動枠３４と同様に第２可動枠３５も図中左側にシフトされる。第２可動枠３５のシフトは、ガイド軸３６によって案内される。本実施の形態では、偏心カム３３と反転機構２とを連結する連結部材は、第１及び第２可動枠３４，３５によって構成される。
【００２０】
上述のように、第２可動枠３５の内側には、第１及び第２ローラ軸２５，２６の膨径部２５ａ，２６ａが配置されている。従って、第２可動枠３５のシフトに伴い、第１及び第２ローラ軸２５，２６、第１及び第２ローラ２０，２１、並びに第１及び第２搬送ベルト２２，２３、すなわち反転機構２全体が図中左側にシフトされる。すなわち、情報処理手段３７（シフト機構３）は、搬送方向１０に直交する方向に沿う投票用紙１の長さに応じて、反転機構２をシフトさせる。具体的には、情報処理手段３７は、投票用紙１の長さが変更されることを検出した際に、搬送方向１０に直交する方向に沿う投票用紙１の中央位置１２に第１及び第２搬送ベルト２２，２３の捩り軸を一致させるように、反転機構２をシフトさせる。
【００２１】
仮に、投票用紙１が図３において実線にて示すものから図２に示すもの（図３において一点鎖線にて示すもの）に変更されたにもかかわらず反転機構２をシフトさせない場合、中央位置１２よりも左側で第１及び第２搬送ベルト２２，２３が投票用紙１を挟むことになり、第１及び第２搬送ベルト２２，２３の捩り軸よりも右側の投票用紙１の長さが長くなってしまう。この場合、第１及び第２搬送ベルト２２，２３により投票用紙１を捻りながら搬送する際に、投票用紙１の端部が固定枠４等の他の部材に接触してしまう。しかしながら、本実施の形態のように反転機構２をシフトさせることで、投票用紙１の端部が固定枠４等の他の部材に接触してしまうことを防止できる。
【００２２】
このような投票用紙反転装置では、搬送方向１０に直交する方向に沿う投票用紙１の長さに応じてシフト機構３が反転機構２をシフトさせるので、投票用紙１を捻りながら搬送する際に搬送方向１０に直交する方向の投票用紙１の端部と第１及び第２搬送ベルト２２，２３周辺の他の部材との距離を適宜変更でき、投票用紙１の端部が第１及び第２搬送ベルト２２，２３周辺の他の部材に接触することを回避できる。
【００２３】
また、シフト機構３は、搬送方向１０に直交する方向に沿う投票用紙１の中央位置１２に第１及び第２搬送ベルト２２，２３の捩り軸に一致させるように、反転機構２をシフトさせるので、投票用紙１の端部が第１及び第２搬送ベルト２２，２３周辺の他の部材に接触することをより確実に回避できる。
【００２４】
さらに、偏心カム３３の回動により反転機構２をシフトさせるので、反転機構２のシフトを細かく制御でき、投票用紙１の端部が第１及び第２搬送ベルト２２，２３周辺の他の部材に接触することをより確実に回避できる。
【符号の説明】
【００２５】
１  投票用紙
１０  搬送方向
２  反転機構
２２，２３  第１及び第２搬送ベルト
２４  接触面
３  シフト機構
３０  アクチュエータ
３３  偏心カム
３４  第１可動枠
３５  第２可動枠
【図１】
2014091593.tif 000003
【図２】
2014091593.tif 000004
【図３】
2014091593.tif 000005